Podtech/llm-jp-corpus-v4-ja_patent huggingface dataset:
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
遊技を制御する主制御装置と、遊技の演出を実行する演出制御装置と、を備える遊技機において、
前記演出制御装置は、
前記主制御装置から入力されたコマンドを解析するコマンド解析部と、
前記コマンド解析部による解析結果に基づいて、演出ブロックを選択する演出ブロック選択部と、
前記演出ブロック選択部によって選択された前記演出ブロックに基づいて演出装置を制御する演出実行部と、
を備え、
前記演出ブロック選択部に選択される前記演出ブロックは、一連の遊技演出の開始から終了するまでの期間として、所定の期間を単位として分割された単位期間分割演出ブロックと、複数の前記所定の期間に跨る非単位期間演出ブロックとを含み、
前記演出ブロック選択部は、前記分割された期間に対応する単位期間分割演出ブロックとともに、複数の前記所定の期間に跨る前記非単位期間演出ブロックを選択可能とし、
前記演出ブロック選択部により選択される前記演出ブロックは、演出装置を制御するための処理が規定されたスケジューラーデータを含み、
前記演出実行部は、前記分割された期間に対応する単位期間分割演出ブロックと並行して、前記非単位期間演出ブロックを実行可能とする
ことを特徴とする遊技機。
【手続補正２】
【補正対象書類名】明細書
【補正対象項目名】０００２
【補正方法】変更
【補正の内容】
【０００２】
遊技機は遊技の興趣を高めるために種々の趣向を凝らした演出が行われる。例えば、遊技の進行に沿って表示装置に画像を表示したり、効果音を出力したり、ランプを点灯させたりするなど、複数種類の演出装置を制御し、遊技状態に応じた演出を実行する。これらの複数種類の演出装置を連携して動作させるため、画像の表示、効果音の出力、ランプの点灯等を同じタイミングで実行することで異なる種類の演出装置を同期させていた（例えば、特許文献１参照）。
【手続補正３】
【補正対象書類名】明細書
【補正対象項目名】０００３
【補正方法】変更
【補正の内容】
【０００３】
【特許文献１】特開平７−３１３６９４号公報
【手続補正４】
【補正対象書類名】明細書
【補正対象項目名】０００４
【補正方法】変更
【補正の内容】
【０００４】
上述の従来技術では、遊技制御装置から演出制御装置に送信されたコマンドに基づいて、各種プログラムを実行することによって、音声出力、ランプの点灯、画像の表示など、複数の演出装置を連動させた演出を制御していた。しかしながら、近年の遊技機では、遊技の興趣を高めるために多種多様な演出を実行することが可能となり、これにともなって、演出制御が複雑化するようになった。そのため、演出制御プログラムの開発に膨大な工数を要するようになり、さらに、演出の動作確認などに要する工数も増大するといった問題が生じるようになった。
【手続補正５】
【補正対象書類名】明細書
【補正対象項目名】０００５
【補正方法】変更
【補正の内容】
【０００５】
本発明は、上記事情に鑑みなされたもので、遊技機の開発に要する工数の増大を抑制しながら、多様な演出を実行可能とすることで遊技の興趣が低下することを抑制可能な遊技機を提供することを目的とする。
【手続補正６】
【補正対象書類名】明細書
【補正対象項目名】０００６
【補正方法】変更
【補正の内容】
【０００６】
上述した目的を達成するため、本発明の代表的な実施形態では、遊技を制御する主制御装置と、遊技の演出を実行する演出制御装置と、を備える遊技機において、前記演出制御装置は、前記主制御装置から入力されたコマンドを解析するコマンド解析部と、前記コマンド解析部による解析結果に基づいて、演出ブロックを選択する演出ブロック選択部と、
前記演出ブロック選択部によって選択された前記演出ブロックに基づいて演出装置を制御する演出実行部と、を備え、前記演出ブロック選択部に選択される前記演出ブロックは、一連の遊技演出の開始から終了するまでの期間として、所定の期間を単位として分割された単位期間分割演出ブロックと、複数の前記所定の期間に跨る非単位期間演出ブロックとを含み、前記演出ブロック選択部は、前記分割された期間に対応する単位期間分割演出ブロックとともに、複数の前記所定の期間に跨る前記非単位期間演出ブロックを選択可能とし、前記演出ブロック選択部により選択される前記演出ブロックは、演出装置を制御するための処理が規定されたスケジューラーデータを含み、前記演出実行部は、前記分割された期間に対応する単位期間分割演出ブロックと並行して、前記非単位期間演出ブロックを実行可能とすることを特徴とする遊技機。
【手続補正７】
【補正対象書類名】明細書
【補正対象項目名】０００７
【補正方法】変更
【補正の内容】
【０００７】
本発明の一形態によれば、上記課題を解決し、遊技の興趣が低下することを抑制可能な遊技機を提供することができる。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
ストップスイッチと、
内部抽せん手段と
を備え、
内部抽せん手段により、所定の結果が決定される場合と、特定の結果が決定される場合と、特別の結果が決定される場合と、を少なくとも有するよう構成されており、
内部抽せん手段により所定の結果が決定された遊技では、遊技者の停止操作が受け付けられたことに基づいて、所定図柄組合せが停止され得るよう構成されており、
所定図柄組合せが停止された場合は、所定図柄組合せに対応した数の遊技媒体が付与され得るよう構成されており、
内部抽せん手段により特定の結果が決定された遊技では、遊技者の停止操作が受け付けられたことに基づいて、特定図柄組合せが停止され得るよう構成されており、
特定図柄組合せが停止された場合は、再遊技が付与され得るよう構成されており、
内部抽せん手段によって特別の結果が決定され、その後遊技者の停止操作が受け付けられたことに基づいて、特別図柄組合せが停止された場合は、特別遊技状態が開始され得るよう構成されており、
ストップスイッチの有利な操作態様を報知しない第１区間と、
ストップスイッチの有利な操作態様を報知し得る第２区間と、
第２区間に移行してから、当該第２区間における差数をカウント可能な差数カウンタと
を有し、
第２区間且つ特別遊技状態においても差数カウンタを更新し得るよう構成されており、
第２区間の所定の遊技において、差数カウンタに関する演算結果が負の値となった場合は、差数カウンタに規定値を記憶可能とし、
差数カウンタが所定の条件を満たした場合は第２区間を終了し得る
ことを特徴とする回胴式遊技機。
【手続補正２】
【補正対象書類名】明細書
【補正対象項目名】０００５
【補正方法】変更
【補正の内容】
【０００５】
本態様に係る回胴式遊技機は、
ストップスイッチと、
内部抽せん手段と
を備え、
内部抽せん手段により、所定の結果が決定される場合と、特定の結果が決定される場合と、特別の結果が決定される場合と、を少なくとも有するよう構成されており、
内部抽せん手段により所定の結果が決定された遊技では、遊技者の停止操作が受け付けられたことに基づいて、所定図柄組合せが停止され得るよう構成されており、
所定図柄組合せが停止された場合は、所定図柄組合せに対応した数の遊技媒体が付与され得るよう構成されており、
内部抽せん手段により特定の結果が決定された遊技では、遊技者の停止操作が受け付けられたことに基づいて、特定図柄組合せが停止され得るよう構成されており、
特定図柄組合せが停止された場合は、再遊技が付与され得るよう構成されており、
内部抽せん手段によって特別の結果が決定され、その後遊技者の停止操作が受け付けられたことに基づいて、特別図柄組合せが停止された場合は、特別遊技状態が開始され得るよう構成されており、
ストップスイッチの有利な操作態様を報知しない第１区間と、
ストップスイッチの有利な操作態様を報知し得る第２区間と、
第２区間に移行してから、当該第２区間における差数をカウント可能な差数カウンタと
を有し、
第２区間且つ特別遊技状態においても差数カウンタを更新し得るよう構成されており、
第２区間の所定の遊技において、差数カウンタに関する演算結果が負の値となった場合は、差数カウンタに規定値を記憶可能とし、
差数カウンタが所定の条件を満たした場合は第２区間を終了し得る
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
遊技の進行を制御するメイン処理と、
前記メイン処理の実行中に、所定時間ごとの割り込みによって実行する割り込み処理と、
複数のリールと、
複数のストップスイッチと、
内部抽せん手段と、
情報を表示可能な情報表示部と、
を備え、
ストップスイッチの有利な操作態様を有する遊技において、当該有利な操作態様を特定可能な情報を情報表示部に表示する指示遊技と、
遊技区間のうち、前記指示遊技を実行しない通常区間と、
遊技区間のうち、前記指示遊技を実行可能な有利区間と、
有利区間である報知態様と通常区間である報知態様とを少なくとも採り得る有利区間表示器と、
有利区間である場合にオンとなる有利区間フラグと、
新たに有利区間に移行してから、当該有利区間にて獲得した遊技価値数を計測可能な差枚数カウンタと
を備え、
前記差枚数カウンタのカウンタ値が所定の終了条件を満たした場合には、通常区間に移行するよう構成されており、
前記メイン処理として、
前記差枚数カウンタのカウンタ値をクリアする処理Ａと、
前記有利区間表示器を前記通常区間である報知態様とするための処理Ｂと、
有利区間フラグをオンからオフにする処理Ｃと
を少なくとも実行可能であり、
有利区間から通常区間に移行する場合には、前記処理Ａ及び前記処理Ｂを実行した後に前記処理Ｃを実行するよう構成されている
ことを特徴とする回胴式遊技機である。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
リールと、
停止ボタンと、
内部抽せん手段と
を備え、
内部抽せん手段により、所定の結果と、特定の結果と、特別の結果と、が決定され得るよう構成されており、
所定の結果に基づく所定図柄組合せが停止された場合は、所定図柄組合せに対応した数の遊技媒体が付与され得るよう構成されており、
特定の結果に基づく特定図柄組合せが停止された場合は、再遊技が付与され得るよう構成されており、
特別の結果に基づく特別図柄組合せが停止された場合は、特別遊技状態が付与され得るよう構成されており、
内部抽せんの結果が所定の結果となったときに停止ボタンの有利な操作態様を報知可能な操作報知状態と、
操作報知状態とならない第１区間と、
操作報知状態となり得る第２区間と、
第２区間に移行してから、当該第２区間での差枚数をカウント可能な差枚数カウンタと
を有し、
第２区間且つ特別遊技状態においても差枚数カウンタを更新し得るよう構成されており、
電源断が発生し、その後電圧が所定値以下となった場合は、電源断時処理が実行され得るよう構成されており、
特定の結果が決定された所定の遊技では、遊技者の最終停止操作以外の停止操作が受け付けられたことにより停止された各リールに特定図柄組合せに対応する図柄がそれぞれ停止されている状況において、所定のリールに対する遊技者の最終停止操作が第１のタイミングで受け付けられて特定図柄組合せが停止されたときは、再遊技が付与され得るよう構成されており、
特定の結果が決定された所定の遊技では、遊技者の最終停止操作以外の停止操作が受け付けられたことにより停止された各リールに特定図柄組合せに対応する図柄がそれぞれ停止されている状況において、電源断が発生し、その後電圧が所定値以下となるまでの間に所定のリールに対する遊技者の最終停止操作が第１のタイミングで受け付けられ、その後電源断時処理が実行され、全てのリールが停止されたときに特定図柄組合せが停止されていなかった場合でも、電源復帰後の第２のタイミングで再遊技が付与され得るよう構成されている
ことを特徴とする回胴式遊技機。
【手続補正２】
【補正対象書類名】明細書
【補正対象項目名】０００５
【補正方法】変更
【補正の内容】
【０００５】
本態様に係る回胴式遊技機は、
リールと、
停止ボタンと、
内部抽せん手段と
を備え、
内部抽せん手段により、所定の結果と、特定の結果と、特別の結果と、が決定され得るよう構成されており、
所定の結果に基づく所定図柄組合せが停止された場合は、所定図柄組合せに対応した数の遊技媒体が付与され得るよう構成されており、
特定の結果に基づく特定図柄組合せが停止された場合は、再遊技が付与され得るよう構成されており、
特別の結果に基づく特別図柄組合せが停止された場合は、特別遊技状態が付与され得るよう構成されており、
内部抽せんの結果が所定の結果となったときに停止ボタンの有利な操作態様を報知可能な操作報知状態と、
操作報知状態とならない第１区間と、
操作報知状態となり得る第２区間と、
第２区間に移行してから、当該第２区間での差枚数をカウント可能な差枚数カウンタと
を有し、
第２区間且つ特別遊技状態においても差枚数カウンタを更新し得るよう構成されており、
電源断が発生し、その後電圧が所定値以下となった場合は、電源断時処理が実行され得るよう構成されており、
特定の結果が決定された所定の遊技では、遊技者の最終停止操作以外の停止操作が受け付けられたことにより停止された各リールに特定図柄組合せに対応する図柄がそれぞれ停止されている状況において、所定のリールに対する遊技者の最終停止操作が第１のタイミングで受け付けられて特定図柄組合せが停止されたときは、再遊技が付与され得るよう構成されており、
特定の結果が決定された所定の遊技では、遊技者の最終停止操作以外の停止操作が受け付けられたことにより停止された各リールに特定図柄組合せに対応する図柄がそれぞれ停止されている状況において、電源断が発生し、その後電圧が所定値以下となるまでの間に所定のリールに対する遊技者の最終停止操作が第１のタイミングで受け付けられ、その後電源断時処理が実行され、全てのリールが停止されたときに特定図柄組合せが停止されていなかった場合でも、電源復帰後の第２のタイミングで再遊技が付与され得るよう構成されている
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
複数の回胴と、
複数の停止ボタンと、
内部抽せんする内部抽せん手段と
を備え、
内部抽せんの結果が所定結果となった遊技において、複数の停止ボタンの操作順番を指示する指示遊技と、
指示遊技を実行しない第１区間と、
指示遊技を実行可能な第２区間と
を有し、
第２区間では、
内部抽せんの結果が所定結果となった遊技において、遊技媒体の付与数と、遊技媒体の賭け数とから算出される値が所定値未満であると、複数の停止ボタンの操作順番を指示する場合がある
ことを特徴とする回胴式遊技機である。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
１ベットランプと、
２ベットランプと、
３ベットランプと、
複数のリールと、
内部抽せん手段と、
貯留数が表示され得る貯留数表示手段と
を備え、
内部抽せん手段により、所定の結果が決定される場合と、特定の結果が決定される場合と、を少なくとも有するよう構成されており、
内部抽せん手段により所定の結果が決定された遊技では、遊技者の停止操作が受け付けられたことに基づいて、所定図柄組合せが停止され得るよう構成されており、
所定図柄組合せが停止された場合は、所定図柄組合せに対応した数の遊技媒体が付与され得るよう構成されており、
内部抽せん手段により特定の結果が決定された遊技では、遊技者の停止操作が受け付けられたことに基づいて、特定図柄組合せが停止され得るよう構成されており、
特定図柄組合せが停止された場合は、再遊技が付与され得るよう構成されており、
所定の状況下における所定の遊技において内部抽せん手段により所定の結果が決定され、その後当該所定の遊技の次回の遊技を実行するためのベット数として３が設定されている状況下では１ベットランプと２ベットランプと３ベットランプとが点灯しており、その後１ベットランプと２ベットランプと３ベットランプとが点灯しており且つ貯留数表示手段に貯留数の表示として所定数が表示されている状況下において精算スイッチが操作されて精算処理が実行されるときは、３ベットランプと２ベットランプと１ベットランプとが消灯した後、貯留数表示手段に表示されている貯留数が更新され得るよう構成されており、
電源断が発生し、その後電圧が所定値以下となった場合は、電源断時処理が実行され得るよう構成されており、
内部抽せん手段により特定の結果が決定された特定の遊技では、遊技者の最終停止操作以外の停止操作が受け付けられたことにより停止された各リールに特定図柄組合せに対応する図柄がそれぞれ停止されている状況において、所定のリールに対する遊技者の最終停止操作が第１のタイミングで受け付けられて特定図柄組合せが停止されたときは、再遊技が付与され得るよう構成されており、
内部抽せん手段により特定の結果が決定された特定の遊技では、遊技者の最終停止操作以外の停止操作が受け付けられたことにより停止された各リールに特定図柄組合せに対応する図柄がそれぞれ停止されている状況において、電源断が発生し、その後電圧が所定値以下となるまでの間に所定のリールに対する遊技者の最終停止操作が第１のタイミングで受け付けられ、その後電源断時処理が実行され、全てのリールが停止されたときに特定図柄組合せが停止されていなかった場合でも、電源復帰後の第２のタイミングで再遊技が付与され得るよう構成されている
ことを特徴とする回胴式遊技機。
【手続補正２】
【補正対象書類名】明細書
【補正対象項目名】０００５
【補正方法】変更
【補正の内容】
【０００５】
本態様に係る回胴式遊技機は、
１ベットランプと、
２ベットランプと、
３ベットランプと、
複数のリールと、
内部抽せん手段と、
貯留数が表示され得る貯留数表示手段と
を備え、
内部抽せん手段により、所定の結果が決定される場合と、特定の結果が決定される場合と、を少なくとも有するよう構成されており、
内部抽せん手段により所定の結果が決定された遊技では、遊技者の停止操作が受け付けられたことに基づいて、所定図柄組合せが停止され得るよう構成されており、
所定図柄組合せが停止された場合は、所定図柄組合せに対応した数の遊技媒体が付与され得るよう構成されており、
内部抽せん手段により特定の結果が決定された遊技では、遊技者の停止操作が受け付けられたことに基づいて、特定図柄組合せが停止され得るよう構成されており、
特定図柄組合せが停止された場合は、再遊技が付与され得るよう構成されており、
所定の状況下における所定の遊技において内部抽せん手段により所定の結果が決定され、その後当該所定の遊技の次回の遊技を実行するためのベット数として３が設定されている状況下では１ベットランプと２ベットランプと３ベットランプとが点灯しており、その後１ベットランプと２ベットランプと３ベットランプとが点灯しており且つ貯留数表示手段に貯留数の表示として所定数が表示されている状況下において精算スイッチが操作されて精算処理が実行されるときは、３ベットランプと２ベットランプと１ベットランプとが消灯した後、貯留数表示手段に表示されている貯留数が更新され得るよう構成されており、
電源断が発生し、その後電圧が所定値以下となった場合は、電源断時処理が実行され得るよう構成されており、
内部抽せん手段により特定の結果が決定された特定の遊技では、遊技者の最終停止操作以外の停止操作が受け付けられたことにより停止された各リールに特定図柄組合せに対応する図柄がそれぞれ停止されている状況において、所定のリールに対する遊技者の最終停止操作が第１のタイミングで受け付けられて特定図柄組合せが停止されたときは、再遊技が付与され得るよう構成されており、
内部抽せん手段により特定の結果が決定された特定の遊技では、遊技者の最終停止操作以外の停止操作が受け付けられたことにより停止された各リールに特定図柄組合せに対応する図柄がそれぞれ停止されている状況において、電源断が発生し、その後電圧が所定値以下となるまでの間に所定のリールに対する遊技者の最終停止操作が第１のタイミングで受け付けられ、その後電源断時処理が実行され、全てのリールが停止されたときに特定図柄組合せが停止されていなかった場合でも、電源復帰後の第２のタイミングで再遊技が付与され得るよう構成されている
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
複数の回胴と、
複数の停止ボタンと、
内部抽せんする内部抽せん手段と、
初期化する初期化手段と、
所定のカウンタと、
所定のフラグと、
特定のフラグと
を備え、
内部抽せんの結果が所定結果となった遊技において、複数の停止ボタンの操作順番を指示する指示遊技と、
指示遊技を実行しない第１区間と、
指示遊技を実行可能な第２区間と
を有し、
所定のカウンタは、第２区間における遊技回数を把握するためのものであり、
所定のフラグは、第２区間であることを報知するときにオンとなり、
特定のフラグは、第２区間であるときにオンとなり、
初期化手段は、
第２区間を終了する遊技において、所定のフラグをオフにした後に、特定のフラグをオフにする
ことを特徴とする回胴式遊技機である。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
第１ゲームフィールドと、
前記第１ゲームフィールドの下方に設けられる第２ゲームフィールドと、
を含み、
前記第１ゲームフィールドは、
第１方向に向かって傾斜する第１盤面と、
前記第１盤面を、前記第１方向に向かった傾斜状態から可動させる第１可動機構と、
前記第１盤面に設けられ、当該第１盤面に投入された遊技媒体が通過可能な複数の第１開口部と、
を有し、
前記複数の第１開口部のうち、少なくとも１つの開口部を通過した遊技媒体が前記第２ゲームフィールドに投入され、
前記第２ゲームフィールドは、
第２方向に向かって傾斜する第２盤面と、
前記第２盤面を、前記第２方向に向かった傾斜状態から可動させる第２可動機構と、
前記第２盤面に設けられ、当該第２盤面に投入された遊技媒体が通過可能な複数の第２開口部と、
を有し、
前記複数の第２開口部のうち、少なくとも１つの開口部を通過した遊技媒体が抽選結果となる
抽選装置。
【請求項２】
前記第１機構および前記第２機構のうち、少なくとも一の機構は、
当該一の機構に対応する盤面を揺動させる
請求項１に記載の抽選装置。
【請求項３】
前記複数の第１開口部または前記複数の第２開口部のうち、前記一の機構に対応する盤面に設けられた複数の開口部の、前記少なくとも１つの開口部は、
前記傾斜状態において、他の開口部よりも低い位置に設けられる
請求項１に記載の抽選装置。
【請求項４】
前記第１機構および前記第２機構のうち、少なくとも一の機構は、
当該一の機構に対応する盤面のうち、前記傾斜状態における上りの地点に対して当該傾斜状態における下りの地点を上下動させる
請求項１に記載の抽選装置。
【請求項５】
前記複数の第１開口部または前記複数の第２開口部のうち、前記一の機構に対応する盤面に設けられた複数の開口部の、前記少なくとも１つの開口部は、
前記傾斜状態において、他の開口部よりも高い位置に設けられる
請求項４に記載の抽選装置。
【請求項６】
前記一の機構は、
当該一の機構に対応する盤面に遊技媒体が投入されてから所定時間経過後に前記上下動を開始させる
請求項５に記載の抽選装置。
【請求項７】
請求項１乃至６のいずれかに記載の抽選装置を含み、
プレイヤに提供されるゲームが所定のルールにしたがって遷移するゲーム装置であって、
一のゲームが前記抽選装置によってプレイヤに提供される場合、
前記第２盤面に投入された遊技媒体のすべてが、前記複数の第２開口部のうち、前記１つの開口部以外の他の開口部を通過すれば、前記一のゲームから異なる他のゲームに遷移する
ゲーム装置。
【手続補正２】
【補正対象書類名】明細書
【補正対象項目名】発明の名称
【補正方法】変更
【補正の内容】
【発明の名称】抽選装置およびゲーム装置
【手続補正３】
【補正対象書類名】明細書
【補正対象項目名】０００１
【補正方法】変更
【補正の内容】
【０００１】
本発明は、抽選装置およびゲーム装置に関する。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
操作有効期間中における前記操作手段の操作が演出に反映される操作演出を実行する操作演出実行手段と、
前記操作手段は、視覚的な態様が変化する変化部を有し、
前記操作有効期間中における前記操作手段の操作が検出されていない状態で、当該操作有効期間が経過するに従い、前記変化部の態様が変化する態様変化演出が実行可能であり、
前記態様変化演出を伴う前記操作演出の方が、前記態様変化演出を伴わない前記操作演出よりも、前記操作演出の結末が遊技者に有利なものとなる蓋然性が高いことを特徴とする遊技機。
【請求項２】
前記態様変化演出を伴う前記操作演出にて、前記操作有効期間中の特定時点における前記変化部の態様として複数種の態様が設定されており、前記特定時点における前記変化部の態様により、前記操作演出の結末が遊技者に有利なものとなる蓋然性が示唆されることを特徴とする請求項１に記載の遊技機。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
操作有効期間中における前記操作手段の操作が演出に反映される操作演出を実行する操作演出実行手段と、
を備え、
前記操作手段は、自動的に動作することが可能な可動部および空間を隔てて当該可動部を覆う部材であって当該可動部の動作が視認可能な材料で形成されたカバーを有し、
前記操作有効期間中における前記操作手段の操作が検出されていない状態で、前記可動部が動作する可動演出が実行可能であり、
前記可動演出における前記可動部の動作態様により、前記操作演出の結末が遊技者に有利なものとなる蓋然性が示唆されることを特徴とする遊技機。
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
原位置と操作位置との間を往復動作可能な操作手段と、
前記操作手段の操作が演出に反映される操作有効期間が設定される演出であって、遊技者に対し、前記操作手段を前記原位置から前記操作位置に変位させて再び原位置に戻す単操作を連続的に行う連続操作を促す連続操作演出を実行する連続操作演出実行手段と、
前記連続操作演出における前記操作有効期間中に前記操作手段を前記操作位置に維持させる維持操作がなされたとき、仮想的に前記連続操作がなされたものとして演出に反映させる操作変換手段と、
を備え、
前記連続操作演出実行手段は、前記連続操作演出で前記維持操作がなされ、当該維持操作が仮想的な前記連続操作として演出に反映されているとき、前記操作有効期間中においては前記操作手段が原位置に戻らない限り、当該連続操作演出の結末が実行されない特殊制御を実行することが可能であることを特徴とする遊技機。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
操作有効期間中に前記操作手段が操作されることが演出に反映される操作演出を実行する操作演出実行手段と、
前記操作有効期間中に前記操作手段が実際には操作されていなくても、仮想的に操作されたこととして前記操作演出に反映されるようにする自動操作機能を設定する自動操作機能設定手段と、
を備え、
前記操作演出として、
前記自動操作機能が有効になっていれば前記操作有効期間中に前記操作手段の仮想的な操作が発生する通常操作演出と、
前記自動操作機能が有効になっていても前記操作有効期間中に前記操作手段の仮想的な操作が発生しない無反映操作演出と、
が発生しうることを特徴とする遊技機。
【請求項２】
前記無反映操作演出が発生した場合、前記操作有効期間が終了した後、前記操作手段が実際に操作されたことを契機として特殊演出が発生することを特徴とする請求項１に記載の遊技機。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
操作有効期間中に前記操作手段が操作されることが演出に反映される操作演出を実行する操作演出実行手段と、
前記操作有効期間中に前記操作手段が実際には操作されていなくても、仮想的に操作されたこととして前記操作演出に反映されるようにする自動操作機能を遊技者からの指示に基づき設定する自動操作機能設定手段と、
前記操作有効期間中に前記操作手段が実際に操作されたこと、および前記自動操作機能が有効とされていることにより前記操作有効期間中に前記操作手段が仮想的に操作されたことを示す、操作強調画像を表示する表示手段と、
を備え、
前記操作有効期間中に前記操作手段が実際に操作されたときに出力される前記操作強調画像は、前記自動操作機能が有効とされていることにより前記操作有効期間中に前記操作手段が仮想的に操作されたときに出力される前記操作強調画像と態様が異なることを特徴とする遊技機。
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
ＯＣＴ光源からの光を測定光路と参照光路とに光分割器によって分割し、前記測定光路を介して被検眼の眼底上に導かれた測定光と前記参照光路からの参照光とのスペクトル干渉信号を検出器によって検出するＯＣＴ光学系と、
前記スペクトル干渉信号に基づいて取得されるＯＣＴデータを表示手段に出力可能な制御手段であって、眼底中心部でのＯＣＴデータを得るための第１の撮影モードと、眼底中心部と眼底周辺部を含む広角領域でのＯＣＴデータを得るための第２の撮影モードとの間で表示手段の表示状態を切り換える制御手段と、
を備えることを特徴とするＯＣＴ装置。
【請求項２】
前記制御手段は、
前記第１の撮影モードに設定された場合、ＯＣＴデータ上のゼロディレイ位置に対して前後いずれか一方の画像領域を表示手段に出力し、
前記第２の撮影モードに設定された場合、ＯＣＴデータ上のゼロディレイ位置に対して前後両方の画像領域を表示手段に出力することを特徴とする請求項１のＯＣＴ装置。
【請求項３】
ＯＣＴデータにおける分散を補正するための分散補正データを記憶する記憶部を備え、
前記制御手段は、前記記憶部から取得される分散補正データを用いて前記スペクトル干渉信号を補正し、補正されたスペクトル干渉信号をフーリエ解析してＯＣＴデータを取得することを特徴とする請求項１〜２のいずれかのＯＣＴ装置。
【請求項４】
前記ＯＣＴデータを解析して解析結果を得る解析手段を備え、
前記解析手段は、
前記第１の撮影モードにて取得されたＯＣＴデータを解析する場合、ＯＣＴデータ上のゼロディレイ位置に対して前後いずれか一方の画像領域を解析することによって解析結果を取得し、
前記第２の撮影モードにて取得されたＯＣＴデータを解析する場合、ＯＣＴデータ上のゼロディレイ位置に対して前後両方の画像領域を解析することによって解析結果を取得することを特徴とする請求項１〜３のいずれかのＯＣＴ装置。
【請求項５】
ＯＣＴ光源からの光を測定光路と参照光路とに光分割器によって分割し、前記測定光路を介して被検眼の眼底上に導かれた測定光と前記参照光路からの参照光とのスペクトル干渉信号を検出器によって検出するＯＣＴ光学系と、
前記スペクトル干渉信号に基づいて取得されるＯＣＴデータを表示手段に出力可能な表示制御手段であって、ＯＣＴデータ上のゼロディレイ位置に対して前後いずれか一方の画像領域を表示手段に出力する第１の表示モードと、ＯＣＴデータ上のゼロディレイ位置に対して前後両方の画像領域を表示手段に出力する第２の表示モードとを切り換え可能な制御手段と、
を備えることを特徴とするＯＣＴ装置。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
表示領域を有する表示装置と、
前記表示領域の一部に三次元的に視認される三次元画像を表示する際、当該表示領域の他の一部に二次元的に視認される二次元画像を表示する三次元演出を実行する演出実行手段と、
を備え、
前記三次元画像および前記二次元画像は、直線に沿ってみて、一方の画像と他方の画像が交互に存在するような形状を呈するものであることを特徴とする遊技機。
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
遊技者に対し前記操作手段の操作を促す演出であって、前記操作手段を表した操作画像が表示される操作演出を実行する操作演出実行手段と、
前記操作演出よりも前に発生しうる導入演出を実行する導入演出実行手段と、
を備え、
前記導入演出を経て発生する前記操作演出と、前記導入演出を経ずに発生する前記操作演出とでは、表示される前記操作画像の態様が異なることを特徴とする遊技機。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
振動体と圧電素子とを備えた振動子と、
摩擦部材と、
前記振動子と前記摩擦部材とを接触させる方向に加圧する加圧手段と、
を備え、
前記振動子に発生する振動により前記振動子と前記摩擦部材とを前記加圧手段の加圧方向と直交する方向に相対移動させ、
前記振動子及び前記摩擦部材は、前記振動子と前記摩擦部材との前記相対移動の方向への移動に伴って移動しない固定部材に対して、前記加圧方向と平行な方向に移動可能であり、
前記加圧方向と平行な方向における前記摩擦部材の移動可能量が前記加圧方向と平行な方向における前記振動子の移動可能量より小さくなるように、前記摩擦部材の前記移動可能量を規制する第１の規制手段と前記振動子の前記移動可能量を規制する第２の規制手段とを備えることを特徴とする、振動波モータ。
【請求項２】
前記振動子は、少なくとも第１の振動子と第２の振動子とを備え、前記第１の規制手段は、前記加圧方向から見たときに前記第１の振動子と前記第２の振動子の間に配置されることを特徴する、請求項１に記載の振動波モータ。
【請求項３】
前記摩擦部材を案内するガイド部材を備え、前記摩擦部材は前記ガイド部材を中心に回転することを特徴とする、請求項１又は２に記載の振動波モータ。
【請求項４】
前記摩擦部材を案内する転動部材を備え、前記第１の規制手段により規制された前記摩擦部材の前記移動可能量は、前記転動部材の大きさより小さいことを特徴とする、請求項１乃至３のいずれか１項に記載の振動波モータ。
【請求項５】
前記振動子と前記摩擦部材との前記相対移動をガイドするガイド機構を備え、
前記ガイド機構は、前記相対移動の方向への移動に伴って移動する第１のガイド部と、前記相対移動の方向への移動に伴って移動しない第２のガイド部と、前記第１のガイド部と前記第２のガイド部との間に配置される転動部材とを有し、
前記第１のガイド部と前記第２のガイド部の一方は、前記摩擦部材の前記加圧方向と平行な方向への移動に伴って前記加圧方向と平行な方向へ移動し、
前記摩擦部材の前記移動可能量は、前記転動部材が前記第１のガイド部と前記第２のガイド部との間から脱落しないように前記第２の規制手段によって規制されることを特徴とする、請求項１又は２に記載の振動波モータ。
【請求項６】
前記摩擦部材が前記相対移動の方向に移動し、前記振動子が固定されていることを特徴とする、請求項１乃至５のいずれか１項に記載の振動波モータ。
【請求項７】
前記第１の規制手段と前記第２の規制手段は、前記固定部材に備えられていることを特徴とする、請求項１乃至６のいずれか１項に記載の振動波モータ。
【請求項８】
前記振動は、超音波領域の周波数の高周波振動であり、前記振動波モータは超音波モータであることを特徴とする、請求項１乃至７のいずれか１項に記載の振動波モータ。
【請求項９】
請求項１乃至８のいずれか１項に記載の振動波モータと、
前記振動波モータにより駆動されるレンズ部と、
該レンズ部を直進に移動可能に保持する案内部材と、
を備えたことを特徴とする、レンズ駆動装置。
【請求項１０】
振動体と圧電素子とを備えた振動子と、
摩擦部材と、
前記振動子と前記摩擦部材とを接触させる加圧手段と、
被駆動部材と、
を備え、
前記振動子に発生する振動により前記振動子と前記摩擦部材とを前記加圧手段の加圧方向と直交する方向に相対移動させることで前記被駆動部材を移動させ、
前記振動子及び前記摩擦部材は、前記振動子と前記摩擦部材との前記相対移動の方向への移動に伴って移動しない固定部材に対して、前記加圧方向と平行な方向に移動可能であり、
前記加圧方向と平行な方向における前記摩擦部材の移動可能量が前記振動子の移動可能量より小さくなるように、前記摩擦部材の前記移動可能量と前記振動子の前記移動可能量とが規制されていることを特徴とする、駆動装置。
【請求項１１】
レンズを備え、
前記振動子に発生する振動により前記振動子と前記摩擦部材とを前記加圧手段の前記加圧方向と直交する方向に前記相対移動させることで前記レンズを移動させることを特徴とする、請求項１０に記載の駆動装置。
【手続補正２】
【補正対象書類名】明細書
【補正対象項目名】０００６
【補正方法】変更
【補正の内容】
【０００６】
上記目的を達成するために、振動波モータは、振動体と圧電素子とを備えた振動子と、摩擦部材と、前記振動子と前記摩擦部材とを接触させる方向に加圧する加圧手段と、を備え、前記振動子に発生する振動により前記振動子と前記摩擦部材とを前記加圧手段の加圧方向と直交する方向に相対移動させ、前記振動子及び前記摩擦部材は、前記振動子と前記摩擦部材との前記相対移動の方向への移動に伴って移動しない固定部材に対して、前記加圧方向と平行な方向に移動可能であり、前記加圧方向と平行な方向における前記摩擦部材の移動可能量が前記加圧方向と平行な方向における前記振動子の移動可能量より小さくなるように、前記摩擦部材の前記移動可能量を規制する第１の規制手段と前記振動子の前記移動可能量を規制する第２の規制手段とを備えることを特徴とする。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
複数の光電変換部が二次元状に設けられた第１半導体層と、
前記複数の光電変換部から出力された信号を処理する信号処理回路が設けられた第２半導体層と、
前記第１半導体層と前記第２半導体層の間に設けられた第１配線構造と、
前記第１配線構造と前記第２半導体層の間に設けられた第２配線構造と、を有し、
前記複数の光電変換部が設けられた撮像領域において、前記第１配線構造が有する第１接続部と、前記第２配線構造が有する第２接続部は、前記第１配線構造と前記第２配線構造の接合面において接触し、
平面視において前記撮像領域とパッド電極が配されたパッド領域との間に設けられ、前記撮像領域に設けられた画素トランジスタを駆動するためのパルス信号を伝達するトランジスタが設けられた周辺領域において、前記第１配線構造が有する第３接続部と、前記第２配線構造が有する第４接続部は、前記接合面において接触し、
前記第３接続部および前記第４接続部は、前記第１半導体層の前記撮像領域に設けられたトランジスタの電源線または駆動線と電気的に接続しており、
平面視において、前記第１接続部および前記第２接続部の少なくとも一方の面積は、前記第３接続部および前記第４接続部の少なくとも一方の面積とは異なることを特徴とする光電変換装置。
【請求項２】
前記第１接続部および前記第２接続部の少なくとも一方の面積は、前記第３接続部および前記第４接続部の少なくとも一方の面積よりも小さいことを特徴とする請求項１に記載の光電変換装置。
【請求項３】
前記第１接続部および前記第２接続部の少なくとも一方の面積は、前記第３接続部および前記第４接続部の少なくとも一方の面積よりも大きいことを特徴とする請求項１に記載の光電変換装置。
【請求項４】
前記第３接続部および前記第４接続部は、前記トランジスタの電源線と電気的に接続していることを特徴とする請求項２に記載の光電変換装置。
【請求項５】
前記第３接続部および前記第４接続部は、前記トランジスタの駆動線と電気的に接続していることを特徴とする請求項２から４のいずれか１項に記載の光電変換装置。
【請求項６】
前記第１半導体層に比較器の第１入力ノードを有し、
前記第２半導体層に前記比較器の出力ノードを有し、
前記第１入力ノードは、前記光電変換部で生じた信号電荷に基づく信号が入力されるノードであり、
前記第１接続部および前記第２接続部は、前記比較器の前記第１入力ノードと前記比較器の出力ノードとの間に設けられていることを特徴とする請求項２に記載の光電変換装置。
【請求項７】
前記第２半導体層に比較器の第１入力ノードと出力ノードを有し、
前記第１入力ノードは、前記光電変換部で生じた信号電荷に基づく信号が入力されるノードであり、
前記第１接続部および前記第２接続部は、前記比較器の前記第１入力ノードと前記光電変換部の間に設けられていることを特徴とする請求項２に記載の光電変換装置。
【請求項８】
複数の光電変換部が二次元状に設けられた第１半導体層と、
前記複数の光電変換部から出力された信号を処理する信号処理回路が設けられた第２半導体層と、
前記第１半導体層と前記第２半導体層の間に設けられた第１配線構造と、
前記第１配線構造と前記第２半導体層の間に設けられた第２配線構造と、を有し、
前記複数の光電変換部が設けられた撮像領域において、前記第１配線構造が有する第１接続部と、前記第２配線構造が有する第２接続部は、前記第１配線構造と前記第２配線構造の接合面において接触し、かつ、前記第１配線構造が有する第５接続部と、前記第２配線構造が有する第６接続部は、前記接合面において接触し、
前記第１接続部および前記第２接続部の少なくとも一方の面積は、前記第５接続部および前記第６接続部の少なくとも一方の面積よりも小さいことを特徴とする光電変換装置。
【請求項９】
前記第１半導体層に比較器の第１入力ノードを有し、
前記第２半導体層に前記比較器の出力ノードを有し、
前記第１入力ノードは、前記光電変換部で生じた信号電荷に基づく信号が入力されるノードであり、
前記第１接続部および前記第２接続部は、前記比較器の前記第１入力ノードと前記比較器の出力ノードとの間に設けられていることを特徴とする請求項８に記載の光電変換装置。
【請求項１０】
前記第２半導体層に比較器の第１入力ノードと出力ノードを有し、
前記第１入力ノードは、前記光電変換部で生じた信号電荷に基づく信号が入力されるノードであり、
前記第１接続部および前記第２接続部は、前記比較器の前記第１入力ノードと前記光電変換部の間に設けられていることを特徴とする請求項８に記載の光電変換装置。
【請求項１１】
前記第１半導体層の前記撮像領域にトランジスタが設けられており、
前記第５接続部および前記第６接続部は、前記トランジスタの電源線と電気的に接続されていることを特徴とする請求項８から１０のいずれか１項に記載の光電変換装置。
【請求項１２】
前記第１半導体層の前記撮像領域にトランジスタが設けられており、
前記第５接続部および前記第６接続部は、前記トランジスタの駆動線と電気的に接続されていることを特徴とする請求項８から１１のいずれか１項に記載の光電変換装置。
【請求項１３】
第３半導体層と、
前記第２半導体層と前記第３半導体層の間に設けられた第３配線構造と、
前記第３配線構造と前記２半導体層との間に設けられた第４配線構造と、を有し、
前記撮像領域において、前記第３配線構造が有する第７接続部と、前記第４配線構造が有する第８接続部は、前記第３配線構造と前記第４配線構造の接合面において接触することを特徴とする請求項１から１２のいずれか１項に記載の光電変換装置。
【請求項１４】
前記第７接続部および前記第８接続部の少なくとも一方の面積は、前記第１接続部または前記第２接続部の面積と異なることを特徴とする請求項１３に記載の光電変換装置。
【請求項１５】
前記第７接続部および前記第８接続部の少なくとも一方の面積は、前記第１接続部または前記第２接続部の面積よりも小さいことを特徴とする請求項１３または１４に記載の光電変換装置。
【請求項１６】
前記第３半導体層には、前記第２半導体層からの出力を記録するメモリが設けられていることを特徴とする請求項１３から１５のいずれか１項に記載の光電変換装置。
【請求項１７】
平面視において前記パッド電極と前記第３接続部とは重ならないことを特徴とする請求項１から１５のいずれか１項に記載の光電変換装置。
【請求項１８】
前記接合面において、前記第１接続部および前記第２接続部の少なくとも一方の面積は、前記第３接続部および前記第４接続部の少なくとも一方の面積とは異なることを特徴とする請求項１乃至１７のいずれか１項に記載の光電変換装置。
【請求項１９】
請求項１から１８のいずれか１項に記載の光電変換装置と、
前記光電変換装置から出力される信号を処理する処理装置と、
を有することを特徴とする撮像システム。
【請求項２０】
移動体であって、
請求項１から１８のいずれか１項に記載の光電変換装置と、
移動装置と、
前記光電変換装置から出力される信号から情報を取得する処理装置と、
前記情報に基づいて前記移動装置を制御する制御装置と、
を有することを特徴とする移動体。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ポリイミドを主成分とするベースフィルムと、このベースフィルムの少なくとも一方の面側に積層される導体層とを備えるフレキシブルプリント配線板用基板であって、
上記導体層が金属粒子を主体とする焼結体層を含み、
上記ベースフィルムの上記導体層が積層される側の最表面における弾性率が、厚さ方向中央における弾性率よりも大きいフレキシブルプリント配線板用基板。
【請求項２】
上記ベースフィルムの上記導体層が積層される側の最表面における弾性率が、上記厚さ方向中央における弾性率の１．１倍以上３．０倍以下である請求項１に記載のフレキシブルプリント配線板用基板。
【請求項３】
上記導体層は、無電解めっき層と電気めっき層をさらに備える、請求項１又は請求項２に記載のフレキシブルプリント配線板用基板。
【請求項４】
上記ポリイミドが、熱硬化性ポリイミドである請求項１から請求項３のいずれか１項に記載のフレキシブルプリント配線板用基板。
【請求項５】
上記ベースフィルムの平均厚さが５μｍ以上２ｍｍ以下である請求項１から請求項４のいずれか１項に記載のフレキシブルプリント配線板用基板。
【請求項６】
上記ベースフィルムの平均厚さが１２μｍ以上１．６ｍｍ以下である請求項１から請求項５のいずれか１項に記載のフレキシブルプリント配線板用基板。
【請求項７】
上記焼結体層を形成する金属粒子の平均粒子径が、１ｎｍ以上５００ｎｍ以下である請求項１から請求項６のいずれか１項に記載のフレキシブルプリント配線板用基板。
【請求項８】
上記焼結体層の平均厚さが、５０ｎｍ以上２μｍ以下である請求項１から請求項７のいずれか１項に記載のフレキシブルプリント配線板用基板。
【手続補正２】
【補正対象書類名】明細書
【補正対象項目名】発明の名称
【補正方法】変更
【補正の内容】
【発明の名称】フレキシブルプリント配線板用基板
【手続補正書】
【提出日】令和3年7月2日(2021.7.2)
【手続補正１】
【補正対象書類名】特許請求の範囲
【補正対象項目名】全文
【補正方法】変更
【補正の内容】
【特許請求の範囲】
【請求項１】
光源と、
スイッチング素子のオンオフにより前記光源を点灯させる第１電源部と、
音声データをオーディオ信号に変換する再生部と、
前記再生部を動作させる第２電源部と、
前記オーディオ信号に応じて音声を発する音声出力部と、
を備えることを特徴とする照明装置。
【請求項２】
前記光源を覆い、前記光源が発する光を透過させるカバーをさらに備え、
前記音声出力部は、前記オーディオ信号に応じて振動する圧電素子を備え、前記カバーの内側の面に設けられることを特徴とする請求項１に記載の照明装置。
【請求項３】
前記音声出力部は、スピーカーを備えることを特徴とする請求項１に記載の照明装置。
【請求項４】
前記光源を覆い、前記光源が発する光を透過させるカバーをさらに備え、
前記音声出力部は、第１音声出力部と、第２音声出力部と、を含み、
前記第１音声出力部は、前記カバーの長手方向の一端に設けられ、
前記第２音声出力部は、前記カバーの長手方向の他端に設けられることを特徴とする請求項１に記載の照明装置。
【請求項５】
前記第１音声出力部は、前記カバーの短手方向の両側の側面のうち一方に設けられ、
前記第２音声出力部は、前記カバーの短手方向の前記両側の側面のうち他方に設けられることを特徴とする請求項４に記載の照明装置。
【請求項６】
前記第２電源部は前記第１電源部から電力を供給され動作することを特徴とする請求項１から５の何れか１項に記載の照明装置。
【請求項７】
前記第１電源部と、第１端子部と、を備える第１ユニットと、
前記再生部と、前記第２電源部と、第２端子部と、を備える第２ユニットと、
を備え、
前記第１ユニットは、前記第１端子部と前記第２端子部を介して、前記第２ユニットと接続されることを特徴とする請求項１から６の何れか１項に記載の照明装置。
【請求項８】
上面に前記第１ユニットと前記第２ユニットが設けられ、裏面に前記光源が設けられた搭載板をさらに備えることを特徴とする請求項７に記載の照明装置。
【請求項９】
前記第１端子部と前記第２端子部の各々は通信端子を備え、
前記第１ユニットは前記通信端子によって前記第２ユニットと通信することを特徴とする請求項７または８の何れか１項に記載の照明装置。
【請求項１０】
前記第１ユニットからの信号により前記第２ユニットは音声再生を開始または停止することを特徴とする請求項９に記載の照明装置。
【請求項１１】
前記第２ユニットからの信号により前記第１ユニットは前記光源の明るさを変更することを特徴とする請求項９または１０に記載の照明装置。
【請求項１２】
光源と、
スイッチング素子のオンオフにより前記光源を点灯させる第１電源部と、
音声データをオーディオ信号に変換する再生部と、
前記オーディオ信号に応じて音声を発する第１音声出力部と、
前記オーディオ信号に応じて音声を発する第２音声出力部と、
前記光源を覆い、前記光源が発する光を透過させるカバーと、
を備え、
前記第１音声出力部は、前記カバーの長手方向の一端に設けられ、
前記第２音声出力部は、前記カバーの長手方向の他端に設けられることを特徴とする照明装置。
【請求項１３】
前記第１音声出力部は、前記カバーの短手方向の両側の側面のうち一方に設けられ、
前記第２音声出力部は、前記カバーの短手方向の前記両側の側面のうち他方に設けられることを特徴とする請求項１２に記載の照明装置。
【請求項１４】
前記カバーは略長方形であることを特徴とする請求項１２または１３に記載の照明装置。
【請求項１５】
前記オーディオ信号は２つのステレオ信号を含み、
前記第１音声出力部には、前記２つのステレオ信号の一方が入力され、
前記第２音声出力部には、前記２つのステレオ信号の他方が入力されることを特徴とする請求項１２から１４の何れか１項に記載の照明装置。